(57)【要約】【課題】  チップアンテナの給電放射素子と二重無給電放射素子とを用いて多重帯域特性を具現した二重カップリング給電を利用したマルチバンド用積層型チップアンテナを提供すること。【解決手段】  本発明のマルチバンド用積層型チップアンテナは、一側が給電線に連結され、他側が接地面に連結され、第1平面に所定方向に形成された第1給電電極(110)を含み、上記第1給電電極と連結され空間的メアンダーライン構造に形成された第1給電放射素子(100)；上記第1平面と平行な第2平面に、一側が上記第1給電電極(110)の一部に連結され平面的メアンダーライン構造に形成された第2給電放射素子(200)；上記第1平面と平行な第3平面に、上記第1給電素子(110)の一部と連結するよう形成された第2給電電極(300)；上記第2給電電極(300)と電気的にカップリングするよう形成された第1無給電放射素子(400)；及び、上記第1無給電放射素子(400)と電気的にカップリングするよう形成された複数の無給電パターン(510〜590、595)を含む第2無給電放射素子(500)を具備することを特徴とする。【選択図】  図2
2005323321.tif 000002
【特許請求の範囲】
【請求項１】
一側が給電線に連結され、他側が接地面に連結され、第1平面において所定方向に形成された第1給電電極を含み、上記第1給電電極と連結され空間的メアンダーライン構造に形成された第1給電放射素子；
上記第1平面と平行な第2平面において、一側が上記第1給電電極の一部に連結され平面的メアンダーライン構造に形成された第2給電放射素子;
上記第1平面と平行な第3平面において、上記第1給電素子の一部と連結されるよう形成された第2給電電極；
上記第2給電電極と電気的にカップリングされるよう形成された第1無給電放射素子;及び、
上記第1無給電放射素子と電気的にカップリングされるよう形成された複数の無給電パターンを含む第2無給電放射素子、
を具備することを特徴とする二重カップリング給電を利用したマルチバンド用積層型チップアンテナ。
【請求項２】
上記第1給電放射素子は、
上記第1給電電極と平行であり、相互一定間隔を離隔しながら相互に平行に形成された複数のストリップライン;
上記複数のストリップライン中上記第1給電電極に隣接した1個のストリップラインと上記第1給電電極とを連結する第1連結パターン;及び
上記複数のストリップライン中相互隣接する2個のストリップラインを各々連結してメアンダーライン構造に形成する複数のパターンを有する第2連結パターン、
を含むことを特徴とする請求項１に記載の二重カップリング給電を利用したマルチバンド用積層型チップアンテナ。
【請求項３】
上記第1給電放射素子の第1給電電極は、
一側が給電線に連結され、他側が接地面に連結され、第1平面において相互に平行に形成された2個の給電パターン;及び、
上記2個の給電パターンの隣接された一側端部を連結する給電連結パターンを含み、逆F字形状からなることを特徴とする請求項１に記載の二重カップリング給電を利用したマルチバンド用積層型チップアンテナ。
【請求項４】
上記第1給電放射素子の第1連結パターンは、
上記第1給電電極の端部において上向きに形成された第1垂直連結パターン;
上記複数のストリップライン中隣接するストリップラインの端部において上向きに形成された第2垂直連結パターン;及び、
上記第1平面と平行な他平面において、上記第1、第2垂直連結パターンを連結する水平連結パターン、
を含むことを特徴とする請求項２に記載の二重カップリング給電を利用したマルチバンド用積層型チップアンテナ。
【請求項５】
上記第1給電放射素子の第2連結パターンは、
上記複数のストリップラインの各端部において上向きに形成された複数の垂直連結パターン;及び、
上記第1平面と平行な他平面において、上記複数の垂直連結パターン中相互隣接する垂直パターンを2個ずつ1対で連結する複数の水平パターンを含み、
上記複数の水平パターンは相互分離されるよう形成された水平連結パターン、
を含むことを特徴とする請求項２に記載の二重カップリング給電を利用したマルチバンド用積層型チップアンテナ。
【請求項６】
上記第1給電放射素子の水平連結パターンは、
上記第2給電放射素子が形成された第2平面と上記第2給電電極が形成された第3平面との間の平面に形成されることを特徴とする請求項５に記載の二重カップリング給電を利用したマルチバンド用積層型チップアンテナ。
【請求項７】
上記第1給電放射素子の水平連結パターンは、
非線形パターンで形成されることを特徴とする請求項５に記載の二重カップリング給電を利用したマルチバンド用積層型チップアンテナ。
【請求項８】
上記第1給電放射素子の水平連結パターンは、
線形パターンで形成されることを特徴とする請求項５に記載の二重カップリング給電を利用したマルチバンド用積層型チップアンテナ。
【請求項９】
上記第2給電放射素子は、
上記第1給電素子の一個のパターンに連結された給電パターン;及び、
上記第1給電素子の他パターンに連結されメアンダーライン構造に形成される放射パターン、
を含むことを特徴とする請求項３に記載の二重カップリング給電を利用したマルチバンド用積層型チップアンテナ。
【請求項１０】
上記第2給電電極は、
上記第1給電素子の1個の給電パターンと同一方向において相互に平行に形成されることを特徴とする請求項３に記載の二重カップリング給電を利用したマルチバンド用積層型チップアンテナ。
【請求項１１】
上記第1無給電放射素子は、
上記第2給電電極と垂直な方向に形成されることを特徴とする請求項１に記載の二重カップリング給電を利用したマルチバンド用積層型チップアンテナ。
【請求項１２】
上記第2無給電放射素子の複数の無給電パターンの各々は、
上記第1無給電放射素子の下部に、上記第1無給電放射素子に垂直な方向に形成された下部パターンを含むことを特徴とする請求項１に記載の二重カップリング給電を利用したマルチバンド用積層型チップアンテナ。
【請求項１３】
上記第2無給電放射素子の複数の無給電パターンの各々は、
上記第1無給電放射素子と一定間隔離隔しながらその両側に形成される第1、第2パターンを含み、上記第1、第2パターン各々は上記第1無給電放射素子と垂直な方向に所定の長さを有する両側パターン;
上記第1無給電放射素子の下部において、上記第1無給電放射素子に垂直な方向に形成された下部パターン;
上記両側パターンの第1パターンの一端部と上記下部パターンの一端部とを垂直に連結する第1連結パターン;及び、
上記両側パターン中第2パターンの一端部と上記下部パターンの他端部とを垂直に連結する第2連結パターン、
を含むことを特徴とする請求項１に記載の二重カップリング給電を利用したマルチバンド用積層型チップアンテナ。
【請求項１４】
上記第2無給電放射素子の複数の無給電パターンは、相互等間隔で形成されることを特徴とする請求項１３に記載の二重カップリング給電を利用したマルチバンド用積層型チップアンテナ。
【発明の詳細な説明】
【技術分野】
【０００１】
本発明はGSM、DCS及びBT端末機に内蔵可能なマルチバンド用積層型チップアンテナに関するもので、とりわけチップアンテナの給電放射素子と二重無給電放射素子とを用いて多重帯域特性を具現することにより、二重無給電放射素子間インピーダンスを調節して周波数及び帯域幅を調節でき、またインピーダンス特性及び放射効率を向上させられ、放射素子相互のインピーダンス影響を最小化できる二重カップリング給電を利用したマルチバンド用積層型チップアンテナに関するものである。
【背景技術】
【０００２】
一般に、GSM(Global System for Mobile communication)、DCS(Digital Europe Cordless System)及びBT(BlueTooth)携帯電話などの移動通信端末機に適用されるアンテナは外部に突出するヘリカルアンテナ(helical antenna)または伸張/収納可能な線形単極アンテナ(monopole antenna)を主に用いる。しかし、こうしたヘリカルアンテナ及び単極アンテナは無指向放射特性を有する利点があるが、アンテナが端末機外部に突出する外装型なので、外力による外形破損や、それに伴う特性劣化の恐れがあり、また最近提起されているSAR(Specific Absorption Rate)にも弱い。
【０００３】
一方、移動通信端末機は小型化及び軽量化され様々な機能を行うことが要求されている。こうした要求を満足させるために移動通信端末機に用いられる内蔵回路及び諸部品は多機能化と同時に小型化されてきた。こうした流れは移動通信端末機の主要部品の一つであるアンテナにも同じく要求されている。
【０００４】
従来の内蔵型アンテナにはマイクロストリップパッチアンテナ、平板逆F字型アンテナ、チップアンテナなどがある。これら内蔵型アンテナを効率的に小型化するための諸方法が提示されてきた。例えば、比較的高い利得と広帯域特性を有するマイクロストリップパッチアンテナにおいて開口結合型給電構造を利用してアンテナの大きさを縮減したものがある。これはマイクロストリップパッチアンテナのTM01モードの電界分布を利用して電界分布が最も大きいパッチの下方に誘電体を挿入してアンテナの大きさを効率的に減らし誘電率が高くなることで発生するアンテナの利得減少を最小にさせ小型軽量のアンテナを提供する。
【０００５】
しかし、従来のアンテナに使用される小型化技法は平面構造に基づくため、小型化に限界があり、しかも携帯端末機サービスの増加により携帯端末機に装着できるアンテナの空間が漸次狭小になる現実に鑑みると改善が切実に要される。
【０００６】
また、従来のアンテナに用いられる給電方式には逆L字型、逆F字型などの方法があるが、空間の効率面において改善が必要である。
【０００７】
図1は従来の積層型チップアンテナの構造を示す斜視図である。
【０００８】
図1に示した従来の積層型チップアンテナは多重帯域に使用可能なよう小型化された構造のアンテナとして、ここでアンテナのパッチ(30、40)は接地金属板(10)の一側端の上部において給電線(20)を介して結合され、上記給電線(20)は接地金属板(10)に垂直に結合される。
【０００９】
上記アンテナの上部面を形成する主放射パッチ(30)は迷路形態のフォルディドスリットパッチ(folded slit patch)構造を有し、上記接地金属板(10)の平面と平行に位置する。
【００１０】
上記副放射パッチ(40)は上記主放射パッチ(30)と接地金属板(10)との間に位置し、上記主放射パッチ(30)及び接地金属板(10)の平面と平行に位置する。上記副放射パッチ(40)は様々な長さ及び幅を有する複数のストリップパッチ(41、43)から成り、各ストリップパッチ(41、43)は同一平面または積層構造で位置することができる。
【００１１】
上記給電線(20)は給電パターン(21)、給電パターン延長部(22)及び給電パターン接地部(23)などから成る。給電パターン(21)は携帯端末機本体とアンテナのパッチ(30、40)の間で信号を伝達し、接地金属板の一側に備えられた給電用金属導体に垂直に結合される。給電パターン連結部(22)は給電パターン(21)の所定位置から垂直に延長され、長さを可変できる。給電パターン接地部(23)は給電パターン延長部(22)の端部から接地金属板(10)側へ折り曲がり接地金属板に接地される。
【００１２】
しかし、こうした従来の積層型チップアンテナは多重帯域に使用可能で、小型の構造から成れるものの、こうした従来の積層型チップアンテナは次のような問題を抱えている。
【００１３】
先ず、アンテナを構成する主放射パッチ(30)はそのパターンの殆どが一平面に形成され、また副放射パッチ(40)はそのパターンの殆どが一平面に形成されるので、小型化に限界がある。
【００１４】
また、アンテナを構成する主放射パッチ(30)及び副放射パッチ(40)の各パターンは実質的に直線形態で形成されているので、小型化に限界がある。
【００１５】
そればかりでなく、直接連結された一つの給電に主放射パッチ及び副放射パッチ全てが連結され、一旦設計され製作された後には工程偏差による周波数調整の必要がある場合、一つのパッチを変更するためにはこれに連結された他パッチに影響を直に及ぼすので、帯域内周波数操作が困難である。
【発明の開示】
【発明が解決しようとする課題】
【００１６】
本発明は上記問題を解決すべく案出されたもので、その目的はチップアンテナの給電放射素子と二重無給電放射素子とを利用して多重帯域特性を具現することにより、二重無給電放射素子間インピーダンスの調節により周波数及び帯域幅を調節でき、またインピーダンス特性及び放射効率を向上させられ、放射素子同士の相互インピーダンス影響を最小化できる二重カップリング給電を利用したマルチバンド用積層型チップアンテナを提供することである。
【課題を解決するための手段】
【００１７】
上記本発明の目的を成し遂げるために、本発明のマルチバンド用積層型チップアンテナは、一側が給電線に連結され、他側が接地面に連結され、第1平面に所定方向に形成された第1給電電極を含み、上記第1給電電極と連結され空間的メアンダーライン構造から成る第1給電放射素子；上記第1平面と平行な第2平面に、一側が上記第1給電電極の一部に連結され平面的メアンダーライン構造から成る第2給電放射素子;上記第1平面と平行な第3平面に、上記第1給電素子の一部と連結されるよう形成された第2給電電極;上記第2給電電極と電気的にカップリングされるよう形成された第1無給電放射素子; 及び、上記第1無給電放射素子と電気的にカップリングされるよう形成された複数の無給電パターンを含む第2無給電放射素子、を含む。
【発明の効果】
【００１８】
上述したような本発明によると、GSM、DCS及びBT端末機に内蔵可能なマルチバンド用積層型チップアンテナにおいて、チップアンテナの給電放射素子と二重無給電放射素子とを用いて多重帯域特性を具現することにより、二重無給電放射素子間インピーダンスの調節により、周波数及び帯域幅を調節でき、またインピーダンス特性及び放射効率を向上させられ、放射素子間相互インピーダンス影響を最小化できる効果を奏する。
【００１９】
以上の説明は本発明の具体的な実施例に係わる説明に過ぎず、本発明はこうした具体的な実施例に限られるわけではなく、本発明に対する上述した具体的な実施例からその構成の様々な変更及び改造が可能なことは当業者ならば容易に想到することを明かしておく。
【発明を実施するための最良の形態】
【００２０】
以下、本発明の好ましき実施例を添付の図に基づいて詳しく説明する。
【００２１】
本発明に参照された図において実質的に同一な構成と機能を有する構成要素には同一符号を付する。
【００２２】
本発明の積層型チップアンテナは一般のPIFA形態のアンテナでなく内蔵可能な積層型セラミックチップアンテナの形態として、基本的にチップアンテナ内部にメアンダーラインと逆F字形態を利用してGSM帯域を具現し、上層に具現した無給電素子を用いてDCS帯域を具現した。また、上部無給電素子のカップリング調節のための構造変形によりトリプル(Triple)帯域具現、中心周波数調節が可能で、帯域幅を拡張できる利点を有する。
【００２３】
図2は本発明による積層型チップアンテナの構造を示す斜視図で、図3は図2の積層型チップアンテナの正面図である。
【００２４】
図2及び図3によると、本発明による積層型チップアンテナは、一側が給電線に連結され他側が接地面に連結され、第1平面に所定方向に形成された第1給電電極(110)を含み、上記第1給電電極と連結され空間的メアンダーライン構造に形成された第1給電放射素子(100)と、上記第1平面と平行な第2平面に一側が上記第1給電電極(110)の一部に連結され平面的メアンダーライン構造に形成された第2給電放射素子(200)と、上記第1平面と平行な第3平面に上記第1給電電極(110)の一部と連結されるよう形成された第2給電電極(300)と、上記第2給電電極(300)と電気的にカップリングされるよう形成された第1無給電放射素子(400)と、上記第1無給電放射素子(400)と電気的にカップリングされるよう形成された複数の無給電パターン(510〜590、595)を含む第2無給電放射素子(500)とを含んで成る。
【００２５】
本発明のマルチバンド用積層型チップアンテナは、上記給電放射素子(100、200)と二重の無給電放射素子(400、500)とを含んで成り、これらによりGSM/DCS/BT各々の共振周波数を発生させ、各々の周波数を近接させる方法により単一周波数におけるバンド幅を向上させる。具体的には、GSM帯域(880〜960MHz)とブルートゥース(BLUETOOTH)帯域(2.4〜2.48GHz)を具現するためのメアンダーライン構造の第2給電放射素子(200)と逆F字構造及び空間的メアンダーライン構造の第1給電放射素子(100)と、DC帯域(1710〜1880 MHz)を具現するための二重無給電放射素子(400、500)とに区分することができる。
【００２６】
ここで、上記第2給電放射素子(200)はメアンダーライン構造として、こうした構造の線幅と線間隔の調節により周波数調整が可能である。また、上記第1給電放射素子(100)は逆F字構造及び空間的メアンダーライン構造として、これらの構造の長さを調節することにより使用周波数を調整できる。
【００２７】
こうして、本発明においてGSM帯域(880〜960MHz)とブルートゥース(BLUETOOTH)帯域(2.4〜2.48GHz)は、第2給電放射素子(200)であるメアンダーライン構造と第1給電放射素子(100)である逆F字構造及びメアンダーライン構造の合成構造から具現された。
【００２８】
図4は本発明の第1給電放射素子の斜視図である。
【００２９】
図4によると、上記第1給電放射素子(100)は上記第1給電電極(100)と平行であり、相互一定間隔離隔しながら平行に形成された複数のストリップライン(120)(120a〜120m)と、上記複数のストリップライン(120)中上記第1給電電極(110)に隣接した一つのストリップライン(120a)と上記第1給電電極(110)と連結する第1連結パターン(131)と、上記複数のストリップライン(120)中相互隣接する二つのストリップラインを各々連結してメアンダーライン構造に形成する複数のパターン(132a〜132l)を有する第2連結パターン(132)を含む。
【００３０】
ここで、上記第1連結パターン(131)と第2連結パターン(132)は上記第1平面に平行な他平面を介して形成される。即ち、図2及び図4に示したように、上記複数個のストリップラインを連結する連結パターンがストリップラインの形成された平面とは異なる平面に形成され、上記第1給電放射素子(100)が空間的メアンダーライン構造から成る。
【００３１】
上記第1給電放射素子(100)の第1給電電極(110)は一側が給電線に連結され、他側が接地面に連結され、第1平面に相互に平行に形成された2個の給電パターン(111、112)と、上記2個の給電パターン(111、112)の隣接した一側端部を相互連結する給電連結パターン(113)とを含み、逆F字形状から成る。
【００３２】
図5は図4のA部分拡大斜視図である。
【００３３】
図5によると、上記第1給電放射素子(100)の第1連結パターン(131)は上記第1給電電極(110)の端部から上向きに形成された第1垂直連結パターン(1311)と、上記複数のストリップライン(120a〜120m)中隣接するストリップライン(120a)の端部から上向きに形成された第2垂直連結パターン(1312)と、上記第1平面と平行な他平面において上記第1、第2垂直連結パターン(1311、1312)を連結する水平連結パターン(1313)とを含む。
【００３４】
また、図5によると、上記第1給電放射素子(100)の第2連結パターン(132)は上記複数のストリップライン(120a〜120m)の各端部から上向きに形成された複数の垂直連結パターン(1321)と、上記第1平面と平行な他平面において上記複数の垂直連結パターン(1321)中相互隣接する垂直パターンを2個ずつ1対で連結する複数の水平パターンを含み、上記複数の水平パターンは重畳及び/または連結されずに、ジグザグ形態で相互分離されるよう形成された水平連結パターン(1322)とを含む。
【００３５】
上記第1給電放射素子(100)の水平連結パターン(1322)は上記第2給電放射素子(200)が形成された第2平面と上記第2給電電極(300)が形成された第3平面との間の平面に形成される。また、上記第1給電放射素子(100)の水平連結パターン(1322)は非線形パターンまたは線形パターンで形成することができる。
【００３６】
図6は本発明の第2給電放射素子の斜視図である。
【００３７】
図6によると、上記第2給電放射素子(200)は上記第1給電素子(110)の一パターン(111)に連結された給電パターン(210)と、上記第1給電素子(110)の他パターン(112)に連結されメアンダーライン構造に形成された放射パターン(220)とを含む。
【００３８】
また、上記第2給電電極(300)は上記第1平面に平行な他平面に、上記第1給電素子(110)の一給電パターン(111)と同一方向に相互に平行に形成される。
【００３９】
図7は本発明の二重無給電放射素子の斜視図である。
【００４０】
図7によると、上記第1無給電放射素子(400)は上記第2給電電極(300)と垂直な方向に形成され上記第2給電電極(300)と第1カップリングを形成する。上記第2無給電放射素子(500)は上記第1無給電放射素子(400)に垂直な方向に形成され、上記第1無給電放射素子(400)と第2カップリングを形成する。
【００４１】
図8は図7のB部分拡大斜視図である。
【００４２】
図8によると、上記第2無給電放射素子(500)の複数の無給電パターン(510〜590、595)の各々は上記第1無給電放射素子の下部に、上記第1無給電放射素子(400)に垂直な方向に形成された下部パターン(502)を含む。
【００４３】
さらに、上記第2無給電放射素子(500)の複数の無給電パターン(510〜590、595)各々は上記第1無給電放射素子(400)と一定間隔離隔しながらその両側に形成される第1、第2パターン(501a、501b)を含み、上記第1、第2パターン(501a、501b)の各々は上記第1無給電放射素子(500)と垂直な方向に所定の長さを有する両側パターン(501)と、上記第1無給電放射素子(400)の下部において上記第1無給電放射素子(400)に垂直な方向に形成された下部パターン(502)と、上記両側パターン(501)の第1パターン(501a)の一端部と上記下部パターン(502)の一端部とを垂直に連結する第1連結パターン(503)と、上記両側パターン(501)中第2パターン(501b)の一端部と上記下部パターン(502)の他端部とを垂直に連結する第2連結パターン(504)とを含む。
【００４４】
ここで、上記第2無給電放射素子(500)は第2カップリング給電を具現するための構造として、例えば上記第1無給電放射素子(400)の下部において単なる垂直方向の下部パターン(502)のみでもカップリング調整が可能である。また、上記下部パターン(502)に第1、第2連結パターン(503、504)を介して連結された両側パターン(501)をさらに含むことが好ましい。こうした構造によるカップリングにより、DCS帯域における帯域幅、放射特性、無給電素子間インピーダンス及びアンテナ全体インピーダンスを調節することができる。
【００４５】
ここで、上記第2 無給電放射素子(500)の複数の無給電パターン(510〜590、595)は相互等間隔で形成することができる。
【００４６】
即ち、図7及び図8によると、本発明の第1無給電放射素子(400)と第2無給電放射素子(500)はDCS帯域を具現するための無給電放射素子として、上記第1無給電放射素子(400)はアンテナの長手方向に長く形成され、上記第2無給電放射素子(500)は上記第1無給電放射素子(400)を中心に等間隔、且つ上記第1無給電放射素子(400)と垂直になるよう配列した。
【００４７】
上記第1無給電放射素子(400)は上記第1給電電極(110)に給電バイアホールを通して連結された第2給電電極(300)とカップリングされDCS帯域において共振し、この際垂直に具現された第2無給電放射素子(500)の複数の無給電パターン同士の間隔及び個数調節により中心周波数の調節が可能になる。
【００４８】
また、図7及び図8によると、本発明の第1、第2無給電放射素子はDCS帯域を具現するための無給電放射素子として、これは伝導体パターン長さ(Inductance)の調節により使用周波数を調整する給電放射素子と異なり、DCS帯域を具現すべく、カップリング(Capacitance)により周波数を調整することができる。即ち、相互カップリングにより電流が第1無給電放射素子(400)で誘起(第1カップリング給電)されるので、こうした第1無給電放射素子(400)とキャパシタンス(Capacitance)を形成するために垂直方向に形成された第2無給電放射素子(第2カップリング給電)でインダクタンス(Inductance)を調節することができ、これに応じて使用周波数を調整することができる。
【００４９】
このような第1無給電放射素子(400)と第2無給電放射素子(500とで成る二重無給電放射素子を利用してDCS帯域を具現すると、例えば給電電極に連結される放射素子を利用してDCS帯域を具現する場合、一つの給電放射素子を変更するとアンテナ全体のインピーダンスが変形される問題を防止することができ、そればかりでなく放射素子間相互インピーダンスの影響により中心周波数具現及び調節が容易になる。これに応じて、二重無給電放射素子の具現時、無給電素子による相互インピーダンスのみ考慮して無給電素子の構造的変形(大きさ及び形態、個数)により周波数調節及び中心周波数の具現が可能で、またカップリングの影響により帯域幅を広げることができる。
【００５０】
しかも、上記第2無給電放射素子の複数の無給電パターン(510〜590、595)の個数を変えて帯域幅を調節でき、また上記無給電パターン(510〜590、595)の長手方向に同一構造で固定しておき、垂直方向の無給電素子の間隔を調節して使用周波数を調整することができる。例えば、上記垂直方向の第2無給電放射素子の間隔を約2/λ〜8/λに設定することができる。
【００５１】
こうした本発明において、第1無給電放射素子にカップリングされた第2無給電放射素子の使用個数の増加に応じた積層型チップアンテナの帯域幅特性を図9a及び図９bに示した。
【００５２】
図9a及び図9bは本発明のアンテナのVSWR特性図である。
【００５３】
図9a及び図9bにおいて、GSM、ブルートゥース(BLUETOOTH)帯域を固定し、DCS帯域に該当する構造の第1、第2無給電放射素子を実際のセットに装着後測定した結果である。この結果を見ると、各使用帯域に合わせて構成したものに比し、実際セットにチップアンテナが装着されると使用周波数が変化することがわかる。
【００５４】
図9aは本発明の二重無給電放射素子を適用した結果として、VSWR[1:1.1480]地点において帯域の上極点(pole)が形成される周波数が約1.87GHzであることがわかり、図9bは垂直方向の第2無給電放射素子が増加するにつれてVSWR[2:1.2460]地点において帯域の上極点(pole)が形成される周波数が1.915GHzと図9aに比して45MHzほど高くなったことがわかる。
【００５５】
これによると、第1無給電放射素子にカップリングされた第2無給電放射素子の使用個数の増加により積層型チップアンテナの帯域を調節でき、また帯域幅を拡張することができる。
【００５６】
先述したような本発明のセラミックチップアンテナは給電放射素子と無給電放射素子とを一つのチップ内部に混合して具現することにより、各々構造を独立的に具現するセラミックチップアンテナに比して相互カップリング影響、相互インピーダンス及び各帯域における放射特性のような難解な特性を調整しなければならない。したがって、本発明においてはこうした諸特性を適用可能なレベルに具現した。
【図面の簡単な説明】
【００５７】
【図１】従来の積層型チップアンテナの構造を示す斜視図である。
【図２】本発明による積層型チップアンテナの構造を示す斜視図である。
【図３】図2の積層型チップアンテナの正面図である。
【図４】本発明の第1給電放射素子の斜視図である。
【図５】図4のA部分拡大斜視図である。
【図６】本発明の第2給電放射素子の斜視図である。
【図７】本発明の二重無給電放射素子の斜視図である。
【図８】図7のB部分拡大斜視図である。
【図９ａ】本発明のチップアンテナのVSWR特性図である。
【図９ｂ】本発明のチップアンテナのVSWR特性図である。
【符号の説明】
【００５８】
100  第1給電放射素子
110  第1給電電極
111、112  給電パターン
113  給電連結パターン
120、120a〜120m  ストリップライン
131  第1連結パターン
132  第2連結パターン
200  第2給電放射素子
210  給電パターン
220  放射パターン
300  第2給電電極
400  第1無給電放射素子
500  第2無給電放射素子
501  両側パターン
502  下部パターン
503、504  第1、第2連結パターン
510〜590、595  無給電パターン
【図１】
2005323321.tif 000003
【図２】
2005323321.tif 000004
【図３】
2005323321.tif 000005
【図４】
2005323321.tif 000006
【図５】
2005323321.tif 000007
【図６】
2005323321.tif 000008
【図７】
2005323321.tif 000009
【図８】
2005323321.tif 000010
【図９ａ】
2005323321.tif 000011
【図９ｂ】
2005323321.tif 000012